(57)【要約】  本発明の一実施形態による電源供給装置は、交流電源を受電して負荷に供給する複数の電源モジュールと、前記複数の電源モジュールの一側に設置され、自己電力を前記負荷に供給する無停電供給モジュールと、前記複数の電源モジュール又は前記無停電供給モジュールの一側に設置され、電力を変換して前記負荷に供給するインバータモジュールと、前記複数の電源モジュール、前記無停電供給モジュール及び前記インバータモジュールの筐体の内部にそれぞれ備えられる直流バスバーと、隣接する前記直流バスバーを連結する連結バスバーとを含み、前記複数の電源モジュール及び無停電供給モジュールの内部で、それぞれ前記直流バスバーの上方に交流／直流コンバータ又は直流／直流コンバータが備えられるか、前記直流バスバーの下方に前記交流／直流コンバータ又は前記直流／直流コンバータが備えられる。
2021536212.tif 000002
【特許請求の範囲】
【請求項１】
交流電源を受電して負荷に供給する複数の電源モジュールと、
前記複数の電源モジュールの一側に設置され、自己電力を前記負荷に供給する無停電供給モジュールと、
前記複数の電源モジュール又は前記無停電供給モジュールの一側に設置され、電力を変換して前記負荷に供給するインバータモジュールと、
前記複数の電源モジュール、前記無停電供給モジュール及び前記インバータモジュールの筐体の内部にそれぞれ備えられる直流バスバーと、
隣接する前記直流バスバーを連結する連結バスバーとを含み、
前記複数の電源モジュール及び前記無停電供給モジュールの内部で、それぞれ前記直流バスバーの上方に交流／直流コンバータ又は直流／直流コンバータが備えられるか、前記直流バスバーの下方に前記交流／直流コンバータ又は前記直流／直流コンバータが備えられる電源供給装置。
【請求項２】
前記複数の電源モジュールは、正常状態で前記負荷に電力を供給するメインモジュールと、前記メインモジュールが作動不能の場合に前記負荷に電力を供給するバイパスモジュールとを含む請求項１に記載の電源供給装置。
【請求項３】
前記複数の電源モジュール及び前記無停電供給モジュールを制御する制御モジュールをさらに含む請求項２に記載の電源供給装置。
【請求項４】
前記直流バスバーは、それぞれの前記筐体の中間部に設置される請求項１に記載の電源供給装置。
【請求項５】
前記複数の電源モジュール及び前記無停電供給モジュールの内部で、前記直流バスバーの上方に交流／直流コンバータ又は直流／直流コンバータが備えられる場合は、他の電力機器が前記直流バスバーの下方に配置され、
前記複数の電源モジュール及び前記無停電供給モジュールの内部で、前記直流バスバーの下方に交流／直流コンバータ又は直流／直流コンバータが備えられる場合は、他の電力機器が前記直流バスバーの上方に配置される請求項４に記載の電源供給装置。
【請求項６】
前記制御モジュールには、前記制御モジュールの内部に備えられる前記直流バスバーに接続され、前記制御モジュールの外部に露出する外部直流バスバーが設けられる請求項３に記載の電源供給装置。
【請求項７】
前記直流バスバーの両端部には、縦方向連結部が長さ方向に形成されて備えられ、前記直流バスバーの側面部には、横方向連結部が幅方向に形成されて備えられる請求項１に記載の電源供給装置。
【請求項８】
前記連結バスバーには、前記縦方向連結部又は前記横方向連結部が締結されるように溝で形成される結合部が設けられる請求項７に記載の電源供給装置。
【請求項９】
前記結合部は、Ｕ字状溝又は段付き溝であることを特徴とする請求項８に記載の電源供給装置。
【請求項１０】
前記筐体の枠に配置される外郭フレームと、隣接する前記外郭フレーム間に配置される中間フレームとをさらに含む請求項１に記載の電源供給装置。
【請求項１１】
前記外郭フレームの一側面には、切欠部が長さ方向に切欠形成され、前記一側面に対向する他の側面には、複数の締結孔が長さ方向に形成される請求項１０に記載の電源供給装置。
【請求項１２】
前記締結孔が形成される面には、凹状の段差部が長さ方向に形成される請求項１１に記載の電源供給装置。
【請求項１３】
前記外郭フレームの両端部には、締結凹部が形成される請求項１０に記載の電源供給装置。
【請求項１４】
隣接する３つの前記外郭フレームを連結する３方向フレーム連結具をさらに含む請求項１３に記載の電源供給装置。
【請求項１５】
前記３方向フレーム連結具は、本体部と、直交する３方向に前記本体部からそれぞれ突設され、前記締結凹部に挿入される３つの締結部とを含む請求項１４に記載の電源供給装置。
【請求項１６】
前記中間フレームの両端部には、切欠形成される嵌合部が設けられる請求項１０に記載の電源供給装置。
【請求項１７】
前記嵌合部に挿入結合され、前記外郭フレームに締結される１方向フレーム連結具をさらに含む請求項１６に記載の電源供給装置。
【請求項１８】
前記１方向フレーム連結具は、段差が形成されて前記嵌合部に挿入される挿入部と、ネジ孔が形成されて前記外郭フレームに当接する結合面部とを含む請求項１７に記載の電源供給装置。
【請求項１９】
前記筐体には、前記縦方向連結部又は前記横方向連結部が配置される部分にバスバーホールが形成される請求項７に記載の電源供給装置。
【請求項２０】
前記筐体には、前記外郭フレームの一部が露出するようにフレームホールが形成される請求項１０に記載の電源供給装置。
【発明の詳細な説明】
【技術分野】
【０００１】
本発明は、電源供給装置に関し、より詳細には、複数の電源供給モジュールを有する電源供給装置に関する。
【背景技術】
【０００２】
一般に、電源供給装置は、電源から交流電源の供給を受け、負荷が用いることのできる交流又は直流電源に変換して負荷に供給する装置である。設備規模が大きな所や安定した電力供給が必要な所には、複数の電源供給モジュールで構成された電源供給装置が設置される。このような複数の電源供給モジュールは、直流バスライン（直流バスバー）を介して接続されてもよい。ここで、複数の電源供給モジュールには、無停電電源装置（UPS; Uninterruptible Power Supply）が含まれてもよい。
【０００３】
図１を参照して、従来技術による電源供給装置について説明する。
【０００４】
従来技術による電源供給装置は、一列に配置された複数の電源供給モジュールで構成される。複数のモジュールは、例えばバイパスモジュール１と、メインモジュール２と、電力半導体モジュール３と、インバータモジュール４とからなる。複数のモジュールの上方には直流電源を供給するコモンバスバー（Common Busbar）５が設けられ、各モジュールに直流電源を供給する。
【０００５】
メインモジュール２とバイパスモジュール１には、交流電源６、７が供給される。一方、非常時の自己電力供給のための無停電電源供給モジュールとして電力半導体モジュール３が設けられる。インバータモジュール４は、負荷に接続され、負荷（図示せず）に電源を供給する。正常状態では、メインモジュール２が交流電源７から受けた電力を負荷に供給する。事故や故障などによりメインモジュール２が作動しない場合は、バイパスモジュール１が交流電源６から受けた電力を負荷に供給する。メインモジュール２からバイパスモジュール１に電源供給経路を変更する場合、停電状態を回避するために、電力半導体モジュール３が臨時に負荷に電力を供給する。
【０００６】
各モジュールには、交流を直流に変換するＡＣ／ＤＣコンバータ８、直流を交流に変換するＤＣ／ＡＣコンバータ９、直流電圧を昇降するためのＤＣ／ＤＣコンバータ１０の少なくとも１つのコンバータが備えられる。また、各モジュールには、遮断器、制御装置、ＰＬＣ、無停電電源制御装置などの各種電力機器が設置される。
【０００７】
通常、これらの各種電力機器とコンバータは、モジュール内で２段に構成される。モジュール内では、これらの電力機器とコンバータを接続するために、ケーブル１１又はバスバー１２が複雑に接続されている。
【０００８】
このような従来技術による電源供給装置には次のような問題がある。
【０００９】
まず、各モジュールが一列に配置されているので、空間に制限がある場合は設置が困難であるという問題がある。例えば、空間の長さがモジュール全体の長さに満たない場合は電源供給装置の設置が困難である。
【００１０】
また、モジュールの内部構造を見ると、各モジュールは２段構造に形成され、内部に各種電力機器とコンバータが配置され、外部にコモンバスバーが配置されて各モジュールに電流を供給するようになっている。これらコモンバスバーとモジュール間には、接続バスバー又は接続ケーブルが用いられる。これらバスバーやケーブルが電力機器とコンバータ間に複雑に絡まっているので、組立や設置だけでなく、メンテナンスも困難である。
【発明の概要】
【発明が解決しようとする課題】
【００１１】
本発明は、上記問題を解決するためになされたものであり、長さに制限のある空間内に配置することのできる電源供給装置を提供することを目的とする。
【００１２】
また、モジュール内部の機器と接続線が簡潔に構成され、設置及びメンテナンスが容易な電源供給装置を提供することを目的とする。
【課題を解決するための手段】
【００１３】
本発明の一実施形態による電源供給装置は、交流電源を受電して負荷に供給する複数の電源モジュールと、前記複数の電源モジュールの一側に設置され、自己電力を前記負荷に供給する無停電供給モジュールと、前記複数の電源モジュール又は前記無停電供給モジュールの一側に設置され、電力を変換して前記負荷に供給するインバータモジュールと、前記複数の電源モジュール、前記無停電供給モジュール及び前記インバータモジュールの筐体の内部にそれぞれ備えられる直流バスバーと、隣接する前記直流バスバーを連結する連結バスバーとを含み、前記複数の電源モジュール及び前記無停電供給モジュールの内部で、それぞれ前記直流バスバーの上方に交流／直流コンバータ又は直流／直流コンバータが備えられるか、前記直流バスバーの下方に前記交流／直流コンバータ又は前記直流／直流コンバータが備えられる。
【００１４】
ここで、前記複数の電源モジュールは、正常状態で前記負荷に電力を供給するメインモジュールと、前記メインモジュールが作動不能の場合に前記負荷に電力を供給するバイパスモジュールとを含む。
【００１５】
また、前記電源供給装置は、前記複数の電源モジュール及び前記無停電供給モジュールを制御する制御モジュールをさらに含む。
【００１６】
さらに、前記直流バスバーは、それぞれの前記筐体の中間部に設置される。
【００１７】
さらに、前記複数の電源モジュール及び前記無停電供給モジュールの内部で、前記直流バスバーの上方に交流／直流コンバータ又は直流／直流コンバータが備えられる場合は、他の電力機器が前記直流バスバーの下方に配置され、前記複数の電源モジュール及び前記無停電供給モジュールの内部で、前記直流バスバーの下方に交流／直流コンバータ又は直流／直流コンバータが備えられる場合は、他の電力機器が前記直流バスバーの上方に配置される。
【００１８】
さらに、前記制御モジュールには、前記制御モジュールの内部に備えられる前記直流バスバーに接続され、前記制御モジュールの外部に露出する外部直流バスバーが設けられてもよい。
【００１９】
さらに、前記直流バスバーの両端部には、縦方向連結部が長さ方向に形成されて備えられ、前記直流バスバーの側面部には、横方向連結部が幅方向に形成されて備えられてもよい。
【００２０】
さらに、前記連結バスバーには、前記縦方向連結部又は前記横方向連結部が締結されるように溝で形成される結合部が設けられてもよい。
【００２１】
さらに、前記結合部は、Ｕ字状溝又は段付き溝であることを特徴とする。
【００２２】
さらに、前記電源供給装置は、前記筐体の枠に配置される外郭フレームと、隣接する前記外郭フレーム間に配置される中間フレームとをさらに含んでもよい。
【００２３】
さらに、前記外郭フレームの一側面には、切欠部が長さ方向に切欠形成され、前記一側面に対向する他の側面には、複数の締結孔が長さ方向に形成されてもよい。
【００２４】
さらに、前記締結孔が形成される面には、凹状の段差部が長さ方向に形成されてもよい。
【００２５】
さらに、前記外郭フレームの両端部には、締結凹部が形成されてもよい。
【００２６】
さらに、前記電源供給装置は、隣接する３つの前記外郭フレームを連結する３方向フレーム連結具をさらに含んでもよい。
【００２７】
さらに、前記３方向フレーム連結具は、本体部と、直交する３方向に前記本体部からそれぞれ突設され、前記締結凹部に挿入される３つの締結部とを含んでもよい。
【００２８】
さらに、前記中間フレームの両端部には、切欠形成される嵌合部が設けられてもよい。
【００２９】
さらに、前記電源供給装置は、前記嵌合部に挿入結合され、前記外郭フレームに締結される１方向フレーム連結具をさらに含んでもよい。
【００３０】
さらに、前記１方向フレーム連結具は、段差が形成されて嵌合部に挿入される挿入部と、ネジ孔が形成されて前記外郭フレームに当接する結合面部とを含んでもよい。
【００３１】
さらに、前記筐体には、前記縦方向連結部又は前記横方向連結部が配置される部分にバスバーホールが形成されてもよい。
【００３２】
さらに、前記筐体には、前記外郭フレームの一部が露出するようにフレームホールが形成されてもよい。
【発明の効果】
【００３３】
本発明の各実施形態による電源供給装置によれば、長さに制限のある空間内に設置することができる。すなわち、複数のモジュールを一列に配置するだけでなく、複数の列に配置することができる。また、各モジュールを異なる配置方向に設定することができる。
【００３４】
さらに、モジュール内部の装置とバスバーが簡潔に配置されるので、メンテナンスが容易になる。
【００３５】
さらに、各モジュールが規格化されるので、様々な構成の組立及び配置が容易になる。すなわち、必要なモジュールを適宜選択して接続、配置、使用することができる。
【図面の簡単な説明】
【００３６】
【図１】従来技術による電源供給装置の構造図である。
【図２】本発明の一実施形態による電源供給装置の構造図である。
【図３】図２に示す任意のモジュールの斜視図である。
【図４】本発明の一実施形態による電源供給装置に適用される直流バスバーと連結バスバーの斜視図である。
【図５】本発明の一実施形態による電源供給装置に適用されるモジュールフレームの斜視図である。
【図６】図５に示す外郭フレームの分解斜視図である。
【図７】図５に示す中間フレームの分解斜視図である。
【図８】本発明の一実施形態による電源供給装置の配置を示す平面図である。
【図９】本発明の他の実施形態による電源供給装置の配置を示す平面図である。
【図１０】本発明のさらに他の実施形態による電源供給装置の配置を示す平面図である。
【発明を実施するための形態】
【００３７】
以下、添付図面を参照して、本発明の好ましい実施形態について説明するが、これらは本発明の属する技術分野における通常の知識を有する者が発明を実施することができるように詳細に説明するためのものであり、本発明の技術的思想及び範囲を限定するものではない。
【００３８】
図２は本発明の一実施形態による電源供給装置の構造図である。図面を参照して、本発明の各実施形態による電源供給装置について詳細に説明する。
【００３９】
本発明の一実施形態による電源供給装置は、交流電源を受電して負荷に供給する複数の電源モジュール２０、３０と、複数の電源モジュール２０、３０の一側に設置され、自己電力を前記負荷に供給する無停電供給モジュール３５と、前記複数の電源モジュール又は前記無停電供給モジュールの一側に設置され、電力を変換して前記負荷に供給するインバータモジュール４０と、複数の電源モジュール２０、３０、無停電供給モジュール３５及びインバータモジュール４０の内部にそれぞれ備えられる直流バスバー６０と、隣接する直流バスバー６０を連結する連結バスバー６５とを含み、複数の電源モジュール２０、３０及び無停電供給モジュール３５には、それぞれ直流バスバー６０の上方に交流／直流コンバータ又は直流／直流コンバータが備えられるか、前記直流バスバーの下方に交流／直流コンバータ又は直流／直流コンバータが備えられる。
【００４０】
本発明の一実施形態による電源供給装置は、複数のモジュールを含む。これら複数のモジュールは、電源モジュール２０、３０、３５と、インバータモジュール４０と、制御モジュール２５とからなる。ここで、電源モジュール２０、３０、３５は、メインモジュール３０と、バイパスモジュール２０と、無停電供給モジュール３５とを含む。
【００４１】
メインモジュール３０とバイパスモジュール２０には、それぞれ交流電源５１、５２から交流電力が供給される。正常状態では、メインモジュール２０が第１交流電源５１から受けた電力を負荷（図示せず）に供給する。事故や故障などによりメインモジュール３０が作動しない場合は、バイパスモジュール２０が第２交流電源５２から受けた電力を負荷に供給する。
【００４２】
一方、非常時の自己電力供給のために無停電電源供給モジュール３５が設けられる。無停電供給モジュール３５は、電力半導体モジュールともいう。無停電供給モジュール３５は、メインモジュール３０からバイパスモジュール２０に電源供給経路を変更する場合に、停電防止のために臨時に用いられる。
【００４３】
インバータモジュール４０は、前記モジュールで変換された直流電力を交流電力に変換して負荷に電源を供給する。
【００４４】
以下、本発明の特徴について各モジュール毎に具体的に説明する。
【００４５】
メインモジュール３０は、正常状態で電源（第１交流電源５１）から交流電源を受電し、直流電源に変換して他のモジュール又は負荷に直流電源を供給する装置である。
【００４６】
メインモジュール３０は、第１交流電源５１から交流電力を受電する。
【００４７】
メインモジュール３０には、第１交流電源５１から受電した交流電力を直流電力に変換するために、第１交流（ＡＣ）／直流（ＤＣ）コンバータ５６及び第２交流／直流コンバータ５７が備えられる。備えられる第１交流／直流コンバータ５６又は第２交流／直流コンバータ５７は、複数であってもよい。
【００４８】
メインモジュール３０には、変換された直流電力を第１交流／直流コンバータ５６から伝送するために、直流バスバー６０が備えられる。直流バスバー６０は、メインモジュール３０の中間部に設置される。
【００４９】
メインモジュール３０には、過電流や地絡事故などの送配電系統の事故に対応できるように、交流電力ラインに設置される交流遮断器７１と、直流電力ラインに設置される直流遮断器７２とが備えられる。メインモジュール３０において、交流遮断器７１と直流遮断器７２は、直流バスバー６０の上方に配置される。
【００５０】
メインモジュール３０において、第１交流／直流コンバータ５６は、直流バスバー６０の下方に配置される。
【００５１】
メインモジュール３０において、第１交流／直流コンバータ５６が直流バスバー６０の下方に配置され、遮断器７１、７２などのその他の電力機器が直流バスバー６０の上方に配置され、このような配置が各モジュールに共通して適用されることにより、モジュールを規格化することができるので、組立及び設置の容易性が確保され、メンテナンスの際の利便性も向上する。
【００５２】
バイパスモジュール２０は、メインモジュール３０が正常な通電機能が実行できない場合に、電源（第２交流電源５２）から交流電源を受電し、直流電源に変換して他のモジュール又は負荷に直流電源を供給する装置である。
【００５３】
バイパスモジュール２０は、第２交流電源５２から交流電力を受電する。
【００５４】
バイパスモジュール２０には、第２交流電源５２から受電した交流電力を直流電力に変換するために、第１交流／直流コンバータ５６及び第２交流／直流コンバータ５７が備えられる。備えられる第１交流／直流コンバータ５６又は第２交流／直流コンバータ５７は、複数であってもよい。
【００５５】
バイパスモジュール２０には、変換された直流電力を第１交流／直流コンバータ５６から伝送するために、直流バスバー６０が備えられる。直流バスバー６０は、バイパスモジュール２０の中間部に設置される。
【００５６】
バイパスモジュール２０には、過電流や地絡事故など送配電系統の事故に対応できるように、交流電力ラインに設置される交流遮断器７１と、直流電力ラインに設置される直流遮断器７２とが備えられる。バイパスモジュール２０において、交流遮断器７１と直流遮断器７２は、直流バスバー６０の上方に配置される。
【００５７】
バイパスモジュール２０において、第１交流／直流コンバータ５６は、直流バスバー６０の下方に配置される。
【００５８】
バイパスモジュール２０において、第１交流／直流コンバータ５６が直流バスバー６０の下方に配置され、遮断器７１、７２などのその他の電力機器が直流バスバー６０の上方に配置され、このような配置が各モジュールに共通して適用されることにより、モジュールを規格化することができるので、組立及び設置の容易性が確保され、メンテナンスの際の利便性も向上する。
【００５９】
制御モジュール２５は、電源モジュール２０、３０、３５を制御することにより、負荷への電力供給を円滑にし、外部に直流電力を伝送するために設けられる。制御モジュール２５には、電源供給装置の各モジュールを制御するための各種制御装置やインタフェース機器が設置される。このような装置や機器として、ＰＬＣ ＨＭＩ（programmable logic controller Human Machine Interface）、ＵＰＳ Ｓ／Ｗ（uninterruptible power supply switch）、制御ＴＲ（transmit-receive switch）などを含む。
【００６０】
制御モジュール２５には、モジュール間での直流電力の伝送のために、直流バスバー６０が備えられる。直流バスバー６０は、制御モジュール２５の中間部に設置される。
【００６１】
制御モジュール２５には、電源供給装置と外部間での直流電力の伝送のために、外部直流バスバー６９が備えられる。外部直流バスバー６９は、制御モジュール２５の直流バスバー６０に接続され、制御モジュール２５の外部に露出する。
【００６２】
制御モジュール２５には、過電流や地絡事故などの送配電系統の事故に対応できるように、直流電力ラインに設置される直流遮断器７２が備えられる。制御モジュール２５において、直流遮断器７２は、直流バスバー６０の上方に配置される。
【００６３】
無停電供給モジュール３５は、自己電源で負荷に電力を供給するために設けられる。無停電供給モジュール３５は、臨時電源供給モジュールである。例えば、無停電供給モジュール３５は、メインモジュール３０からバイパスモジュール２０に電源供給線路を変更する際の電源の切断（停電）を防止するために設けられる。
【００６４】
無停電供給モジュール３５は、バッテリ電源５５から電力を受電する。
【００６５】
無停電供給モジュール３５には、バッテリ電源５５から受電した直流電力を昇降するために、第１直流（ＤＣ）／直流（ＤＣ）コンバータ５８及び第２直流／直流コンバータ５９が備えられる。備えられる第１交流／直流コンバータ５６又は第２交流／直流コンバータ５７は、複数であってもよい。
【００６６】
無停電供給モジュール３５には、直流電力の伝送のために、直流バスバー６０が備えられる。直流バスバー６０は、無停電供給モジュール３５の中間部に設置される。
【００６７】
無停電供給モジュール３５には、過電流や地絡事故などの送配電系統の事故に対応できるように、直流電力ラインに設置される直流遮断器７２が備えられる。また、バッテリ電源５５と直流電力ライン間には、第２直流遮断器７３が備えられる。無停電供給モジュール３５において、直流遮断器７２と第２直流遮断器７３は、直流バスバー６０の上方に配置される。
【００６８】
無停電供給モジュール３５において、第１直流／直流コンバータ５８は、直流バスバー６０の下方に配置される。
【００６９】
無停電供給モジュール３５において、第１直流／直流コンバータ５８が直流バスバー６０の下方に配置され、遮断器７１、７２などのその他の電力機器が直流バスバー６０の上方に配置され、このような配置が各モジュールに共通して適用されることにより、モジュールを規格化することができるので、組立及び設置の容易性が確保され、メンテナンスの際の利便性も向上する。
【００７０】
インバータモジュール４０は、各モジュールで変換された直流電力を交流電力に変換し、負荷に交流電力を供給するために設けられる。インバータモジュール４０には、インバータ４１が複数設けられる。インバータ４１は、メインモジュール３０、制御モジュール２５、無停電供給モジュール３５にそれぞれ接続される。インバータ４１で交流に変換された電力は、各負荷に供給される。
【００７１】
インバータモジュール４０には、各モジュールから供給される直流電力を伝送するために、直流バスバー６０が備えられる。
【００７２】
図３は図２に示すメインモジュールの斜視図であり、図４は各モジュールに適用される直流バスバーと連結バスバーの斜視図である。
【００７３】
各モジュール２０、２５、３０、３５、４０は、構造物として筐体と、フレームとを含む。各モジュールに共通して適用される事項であるので、一例としてメインモジュール３０について説明する。特に例外的に説明、適用されるものでない限り、後述する事項はメインモジュール３０だけでなく、他のモジュールにも適用される。
【００７４】
メインモジュール３０は、構造物として筐体３１と、フレーム８０、８５、４５とを有する。筐体３１は、各電力機器を収容するために設けられる。フレーム８０、８５、４５は、筐体３１内に備えられる外郭フレーム８０及び中間フレーム８５と、筐体３１の下方に備えられるベースフレーム４５とを含む。各フレーム８０、８５、４５は、選択的に備えられる。
【００７５】
筐体３１は、キャビネット状に形成されてもよい。筐体３１の前面にドア３４（図８参照）が形成されるので、ドア３４を開放すると内部にアクセスすることができる。筐体３１は、ベースフレーム４５により支持される。
【００７６】
筐体３１の両側面と背面には、フレーム８０、８５が露出するフレームホール３２と、直流バスバー６１が露出するバスバーホール３３がそれぞれ複数形成される。フレームホール３２は、上、下端部に形成されてもよく、バスバーホール３３は、中間部に形成されてもよい。
【００７７】
直流バスバー６０は、相対的に長い第１直流バスバー６１と、相対的に短い第２直流バスバー６４と、第１直流バスバー６１又は第２直流バスバー６４を連結する連結バスバー６５とを含む。筐体３１の内部には、第１直流バスバー６１又は第２直流バスバー６４が設置される。各モジュールに適した直流バスバーが適用される。
【００７８】
第１直流バスバー６１は、筐体３１の中間部に設置されてもよい。よって、第１直流バスバー６１を境に第１段と第２段に分けられてもよい。コンバータは、第１直流バスバー６１の下方（すなわち、第１段）に配置され、コンバータを除く遮断器などの他の電力機器は、第１直流バスバー６１の上方（すなわち、第２段）に配置される。当然ながら、それとは逆に設置することも可能である。
【００７９】
第１直流バスバー６１は、板状のプレートで形成されてもよい。ここで、第１直流バスバー６１の両端部には、縦方向連結部６２が長さ方向に形成される。一方、第１直流バスバー６１の側面部には、横方向連結部６３が幅方向に形成される。縦方向連結部６２は、横方向連結部６３に垂直な方向に形成されてもよい。設けられる横方向連結部６３は、複数であってもよい。
【００８０】
第２直流バスバー６４は、第１直流バスバー６１と同様に形成されてもよい。第２直流バスバー６４は、備えられる横方向連結部６３が単数であること以外は、第１直流バスバー６１と同様に形成されてもよい。
【００８１】
隣接するモジュール間に、各直流バスバー６１、６４を連結するための連結バスバー６５が設けられる。連結バスバー６５は、板状のプレートで形成されてもよい。連結バスバー６５の両端部には、それぞれ直流バスバー６１、６４が連結される結合部６６が設けられる。結合部６６は、連結部６２、６３が収容される溝で形成されてもよい。ここで、形成される結合部６６は、Ｕ字状溝や段付き溝など様々な形状である。
【００８２】
直流バスバー６１、６４と連結バスバー６５は、螺合により締結されてもよい。直流バスバー６０と連結バスバー６５により、直流電源を各モジュール間又は外部に伝送することができる。また、直流バスバー６０が第１直流バスバー６１及び第２直流バスバー６４と連結バスバー６５に区分され、直流バスバー６１、６４がモジュールの内部に設置されるので、各モジュールを独立して配置し、選択的に装置を構成することができる。
【００８３】
図５は本発明の一実施形態による電源供給装置に適用されるモジュールフレームの斜視図であり、図６は図５に示す外郭フレームの分解斜視図であり、図７は図５に示す中間フレームの分解斜視図である。
【００８４】
フレーム８０、８５、４５は、筐体３１内に備えられる外郭フレーム８０及び中間フレーム８５と、筐体３１の下方に備えられるベースフレーム４５とを含む。
【００８５】
筐体３１の下方には、ベースフレーム４５が設けられる。ベースフレーム４５は、モジュールを支持する。
【００８６】
筐体３１の内部には、外郭フレーム８０と中間フレーム８５が備えられる。
【００８７】
外郭フレーム８０は、筐体３１の枠に配置され、筐体３１を支持する。外郭フレーム８０は、一文字状に形成されてもよい。外郭フレーム８０は、断面が長方形に形成されてもよく、内部に中空部が形成されてもよい。外郭フレーム８０は、適切な長さに形成され、筐体３１の枠に沿って横方向又は縦方向に配置される。
【００８８】
外郭フレーム８０の一側面には、切欠部８１が長さ方向に切欠形成され、前記一側面に対向する他の側面には、複数の締結孔８２が長さ方向に形成される。締結孔８２が形成される面には、凹状の段差部８３が長さ方向に形成されてもよい。外郭フレーム８０の両端部には、締結凹部８４が形成される。
【００８９】
外郭フレーム８０を連結するために、３方向フレーム連結具９０が設けられる。３方向フレーム連結具９０は、本体部９１と、直交する３方向に本体部９１からそれぞれ突出する締結部９２、９３、９４とを含む。例えば、各締結部９２、９３、９４は、互いに直交するｘ、ｙ、ｚ方向に突設されてもよい。
【００９０】
３方向フレーム連結具９０の各締結部９２、９３、９４は、外郭フレーム８０の締結凹部８４に挿入される。外郭フレーム８０は、３方向フレーム連結具９０に連結されて３次元的形状をなし、筐体３１の枠に設置されて筐体３１を支持する。
【００９１】
３方向フレーム連結具９０の第１締結部９２には、結合孔９５が形成される。外郭フレーム８０の切欠部８１、第１締結部９２の結合孔９５、ベースフレーム４５の締結孔４６が一直線上に置かれて結合された状態で、切欠部８１、結合孔９５、締結孔４６を貫通して締結するネジにより、外郭フレーム８０がベースフレーム４５に固定結合される。よって、筐体３１は、ベースフレーム４５に固定されて支持される。ベースフレーム４５が適用されない部分では、外郭フレーム８０が３方向フレーム連結具９０に連結され、螺合により固定されてもよい。
【００９２】
２つの外郭フレーム８０間に、中間フレーム８５が結合されてもよい。中間フレーム８５は、外郭フレーム８０が長く形成される箇所の支持力を補強するために設置されるものであってもよい。中間フレーム８５の両端部には、切欠形成される嵌合部８６が設けられる。
【００９３】
嵌合部８６に結合されるように、１方向フレーム連結具９６が設けられる。１方向フレーム連結具９６は、略直方体状に形成されてもよい。１方向フレーム連結具９６は、中間フレーム８５の嵌合部８６に嵌合され、外郭フレーム８０に螺合される。
【００９４】
１方向フレーム連結具９６は、段差が形成される挿入部９７と、ネジ孔９８が形成される結合面部９９とを含む。１方向フレーム連結具９６の挿入部９７が中間フレーム８５の両端部に形成された嵌合部８６に挿入結合され、１方向フレーム連結具９６の結合面部９９が外郭フレーム８０に当接して結合される。
【００９５】
以下、上記構成を有する電源供給装置における各モジュールの配置形態について説明する。
【００９６】
図８は本発明の一実施形態による電源供給装置の平面図である。理解の便宜上、他の構成要素は省略し、筐体とバスバーのみ示している。
【００９７】
本実施形態において、各モジュールは、一列に配置される。同図には、左からバイパスモジュール２０、制御モジュール２５、メインモジュール３０、無停電供給モジュール３５、インバータモジュール４０が配置された例を示している。ここで、このようなモジュール間の配置順序は、必要に応じて変更できることは言うまでもない。
【００９８】
隣接するモジュールの直流バスバー６１、６４は、連結バスバー６５により連結される。各モジュールの直流バスバー６１、６４の縦方向連結部６２に連結バスバー６５が結合された形態で連結される。
【００９９】
ここで、図示していないが、隣接するモジュール間で互いに接する２つの外郭フレーム８０は、フレームホール３２を介して互いに螺合されてもよい。こうすることにより、筐体３１の支持力が向上する。
【０１００】
図９は本発明の他の実施形態による電源供給装置の平面図である。
【０１０１】
同図に示す本実施形態においては、各モジュールが２列に配置されている。制御モジュール２５を除く他のモジュールは、互いに背面が対向する状態で２列に配置される。同図に示すように、同じ列に配置されたモジュール間では、直流バスバー６１の縦方向連結部６２と連結バスバー６５が互いに結合された状態で連結されており、異なる列に配置されて隣接する（対向する）モジュール間では、直流バスバー６１の横方向連結部６３と連結バスバー６５が互いに結合された状態で連結されている。
【０１０２】
このように、モジュールが複数列に配置された構成によれば、電源供給装置の占める面積は同一であるが、長さが減少するので、長さ方向に制限のある空間内に設置することができる。
【０１０３】
図１０は本発明のさらに他の実施形態による電源供給装置の平面図である。
【０１０４】
同図に示す本実施形態においては、電源供給装置が設置される中心部に空間が生じるように各モジュールが周囲を囲む形態に配置されている。一モジュールの背面に、隣接する他のモジュールの側面が当接するように配置されてもよい。一モジュールの直流バスバー６１の縦方向連結部６２と、隣接する他のモジュールの直流バスバー６１の横方向連結部６３とが連結バスバー６５により連結される。本実施形態の電源供給装置は、略正方形の床面積を有し、中間に空間が形成されるので、狭い空間に設置することができ、メンテナンスのための作業空間を設けることができる。
【０１０５】
本発明の各実施形態による電源供給装置によれば、長さに制限のある空間内に設置することができる。すなわち、複数のモジュールを一列に配置するだけでなく、複数の列に配置することもできる。また、各モジュールを異なる配置方向に設定することができる。
【０１０６】
さらに、モジュール内部の装置とバスバーが簡潔に配置されるので、メンテナンスが容易になる。
【０１０７】
さらに、各モジュールが規格化されるので、様々な構成の組立及び配置が容易になる。すなわち、必要なモジュールを適宜選択して接続、配置、使用することができる。
【０１０８】
前述した実施形態は本発明を実現する実施形態であり、本発明の属する技術分野における通常の知識を有する者であれば、本発明の本質的な特性から逸脱しない範囲で様々な変更及び変形が可能であろう。よって、本発明の実施形態は本発明の技術思想を説明するためのものであり、これらの実施形態に本発明の技術思想の範囲が限定されるものではない。すなわち、本発明の保護範囲は請求の範囲により解釈されるべきであり、それと均等の範囲内にあるあらゆる技術思想は本発明の権利範囲に含まれるものと解釈すべきである。
【図１】
2021536212.tif 000003
【図２】
2021536212.tif 000004
【図３】
2021536212.tif 000005
【図４】
2021536212.tif 000006
【図５】
2021536212.tif 000007
【図６】
2021536212.tif 000008
【図７】
2021536212.tif 000009
【図８】
2021536212.tif 000010
【図９】
2021536212.tif 000011
【図１０】
2021536212.tif 000012
【国際調査報告】
2021536212.tif 000013
2021536212.tif 000014
2021536212.tif 000015
2021536212.tif 000016